(57)【要約】【課題】近距離通信機能が起動していることを正確に認識することが出来る近距離通信装置及び報知方法を提供することを目的とする。【解決手段】近距離通信装置が、報知手段と、通信相手の送信信号を受信すると共に前記通信相手に自信号を送信する送受信デバイスと、前記送受信デバイスからの起動通知信号に基づいて前記送受信デバイスの起動を前記報知手段に報知させる制御手段とを具備するという手段を採用する。【選択図】図１
2009206969.tif 000002
【特許請求の範囲】
【請求項１】
報知手段と、
通信相手の送信信号を受信すると共に前記通信相手に自信号を送信する送受信デバイスと、
前記送受信デバイスからの起動通知信号に基づいて前記送受信デバイスの起動を前記報知手段に報知させる制御手段とを具備することを特徴とする近距離通信装置。
【請求項２】
前記制御手段は、前記送受信デバイスが前記通信相手との接続を開始すると、当該開始を前記報知手段に報知させることを特徴とする請求項１記載の近距離通信装置。
【請求項３】
前記制御手段は、前記送受信デバイスが前記通信相手からデータファイルの受信を開始すると、当該開始を前記報知手段に報知させることを特徴とする請求項１または２記載の近距離通信装置。
【請求項４】
前記制御手段は、前記送受信デバイスが前記通信相手との通信を切断すると、当該切断を前記報知手段に報知させることを特徴とする請求項１〜３のいずれか一項に記載の近距離通信装置。
【請求項５】
報知手段は、振動手段、発光手段、表示手段及び発音手段のうちのいずれか１つあるいは複数からなることを特徴とする請求項１〜４のいずれか一項に記載の近距離通信装置。
【請求項６】
前記送受信デバイスは、赤外線を通信媒体とすることを特徴とする請求項１〜５のいずれか一項に記載の近距離通信装置。
【請求項７】
通信相手の送信信号を受信すると共に前記通信相手に自信号を送信する送受信デバイスを具備する近距離通信装置における報知方法であって、
報知ステップと、
前記送受信デバイスからの起動通知信号に基づいて前記送受信デバイスの起動を前記報知ステップに報知させる制御ステップとを具備することを特徴とする近距離通信装置の報知方法。
【発明の詳細な説明】
【技術分野】
【０００１】
本発明は、近距離通信装置及び報知方法に関するものである。
【背景技術】
【０００２】
近年、携帯電話機及びＰＨＳ（Personal Handyphone System）端末等の携帯端末では、赤外線を用いて近距離通信を行うものが多い。赤外線通信により例えば電話番号等のようなデータを容易に交換することができる。また、携帯端末だけでなく、例えばカメラで撮影した画像データ等を送受信するために、赤外線通信機能をもつデジタルカメラ、プリンタ等の電子機器も現われている。このような赤外線通信装置は、実際の通信を始める前に相手装置を探索する動作が行われ、相手装置が見つかったとき、赤外線によるデータ通信が開始される。そして、下記特許文献１には、この赤外線通信に用いられる技術の一つとして、通信相手の探索時に赤外線を発光する赤外線ポートと通信相手との位置ズレを検出して表示する技術が開示されている。
【特許文献１】特開平１１−２２０４４０号公報
【発明の開示】
【発明が解決しようとする課題】
【０００３】
ところで、上記従来技術では、赤外線通信において、赤外線通信機能が正常動作しているにもかかわらず、赤外線は容易に見ることが出来ない為、ユーザは赤外線通信機能が起動しているか否かを確実に認識することができず、不安を感じることがある。特に受信側では、送信側から出力する赤外線を受光ダイオードによって待ち受けているだけである為、赤外線通信の受信機能が正常に起動しているかを視覚によって確実に認識することが困難である。一応、ユーザ操作を契機にして赤外線通信機能の開始を通知するメッセージは表示されるが、赤外線デバイス部分に故障がある場合にも、ユーザ操作を契機にして上記メッセージが表示される為、実際に赤外線デバイス部分が正常に起動しているか否かを判断することは難しい。
【０００４】
本発明は、上述した事情を鑑みたものであり、近距離通信機能が起動していることを確実に認識することが出来る近距離通信装置及びを提供することを目的とする。
【課題を解決するための手段】
【０００５】
上記目的を達成するために、本発明では、近距離通信装置に係る第１の解決手段として報知手段と、
通信相手の送信信号を受信すると共に前記通信相手に自信号を送信する送受信デバイスと、前記送受信デバイスからの起動通知信号に基づいて前記送受信デバイスの起動を前記報知手段に報知させる制御手段とを具備するという手段を採用する。
【０００６】
本発明では、近距離通信装置に係る第２の解決手段として、上記第１の解決手段において、前記制御手段は、前記送受信デバイスが前記通信相手との接続を開始すると、当該開始を前記報知手段に報知させるという手段を採用する。
【０００７】
本発明では、近距離通信装置に係る第３の解決手段として、上記第１または第２の解決手段において、前記制御手段は、前記送受信デバイスが前記通信相手からデータファイルの受信を開始すると、当該開始を前記報知手段に報知させるという手段を採用する。
【０００８】
本発明では、近距離通信装置に係る第４の解決手段として、上記第１〜第３いずれかの解決手段において、前記制御手段は、前記送受信デバイスが前記通信相手との通信を切断すると、当該切断を前記報知手段に報知させるという手段を採用する。
【０００９】
本発明では、近距離通信装置に係る第５の解決手段として、上記第１〜第４いずれかの解決手段において、報知手段は、振動手段、発光手段、表示手段及び発音手段のうちのいずれか１つあるいは複数からなるという手段を採用する。
【００１０】
本発明では、近距離通信装置に係る第６の解決手段として、上記第１〜第５いずれかの解決手段において、前記送受信デバイスは、赤外線を通信媒体とするという手段を採用する。
【００１１】
また、本発明では、報知方法に係る第１の解決手段として、通信相手の送信信号を受信すると共に前記通信相手に自信号を送信する送受信デバイスを具備する近距離通信装置における報知方法であって、報知ステップと、前記送受信デバイスからの起動通知信号に基づいて前記送受信デバイスの起動を前記報知ステップに報知させる制御ステップとを具備するという手段を採用する。
【発明の効果】
【００１２】
本発明によれば、近距離通信装置が、報知手段と、通信相手の送信信号を受信すると共に前記通信相手に自信号を送信する送受信デバイスと、前記送受信デバイスからの起動通知信号に基づいて前記送受信デバイスの起動を前記報知手段に報知させる制御手段とを具備する為、ユーザは受信待機状態において近距離通信機能が起動したことを確実に知ることができ、安心を得ることができると共に、近距離通信機能が正常であることも知ることができる。
【発明を実施するための最良の形態】
【００１３】
以下、図面を参照して、本発明の一実施形態について説明する。本実施形態は、赤外線通信機能を有するＰＨＳ（Personal Handy-phone System）端末に関する。
図１は本実施形態に係るＰＨＳ端末Ａの機能構成を示す機能ブロック図である。なお、ＰＨＳ端末Ａは、本実施形態における近距離通信装置である。
【００１４】
ＰＨＳ端末Ａの機能構成を、図１を参照して説明する。ＰＨＳ端末Ａは、図１に示すように、ＰＨＳ端末Ａは、図２に示すように、基地局通信部１、操作部２、表示部３、赤外線モジュール４、モデム５、振動部６、ＬＥＤ（Light Emitting Diode）７、バッテリ８及び制御部９によって構成される。そして、赤外線モジュール４は、赤外線送信部４ａ及び赤外線受信部４ｂを有し、モデム５は、エンコーダ５ａ及びデコーダ５ｂを有する。なお、赤外線モジュール４及びモデム５が、本実施形態における送受信デバイスを構成する。
【００１５】
基地局通信部１は、制御部９による指示の下、基地局と音声信号、データ信号及び制御信号等の各種信号を送受信する。
操作部２は、テンキー、方向キー、及び各種機能キー等の各種操作キーから構成されており、これらの操作キーに対するユーザの操作指示を受け付けて制御部９に出力する。
表示部３は、例えば液晶ディスプレイまたは有機ＥＬ（Electronic Luminescent）ディスプレイ等であり、制御部９から入力される画面信号に基づいて画像や文字からなる各種画面を表示する。
【００１６】
赤外線モジュール４は、ＩｒＤＡ（Infrared Data Association）通信プロトコルに準拠する赤外線通信用の電子回路モジュールである。赤外線送信部４ａは、赤外線ＬＥＤを有し、エンコーダ５ａより入力される赤外線通信用送信データに基づいて赤外線ＬＥＤに赤外線を出力させる。赤外線受信部４ｂは、フォトダイオードを有し、受光した赤外線を赤外線通信用受信データに変換し、デコーダ５ｂに出力する。なお、赤外線通信用送信データ及び赤外線通信用受信データは、ＩｒＤＡ通信プロトコルに準拠するデータである。
【００１７】
エンコーダ５ａは、制御部９から入力される送信データを赤外線通信用送信データに変換し、赤外線送信部４ａに出力する。デコーダ５ｂは、赤外線受信部４ｂから入力された赤外線通信用受信データを受信データに変換し、制御部９に出力する。
振動部６は、制御部９の制御の下、ＰＨＳ端末Ａの筺体（図示なし）全体を強制振動させる。なお、振動部６は、３種類の異なる振動パターン（振動パターン１、振動パターン２及び振動パターン３）の振動を実行することが出来る。
【００１８】
ＬＥＤ７は、音声着信やメールの受信をユーザに報知するために発光するものであるが、本実施形態では、制御部９による制御の下、赤外線通信時にも発光する。
バッテリ８は、外部のＡＣアダプタから供給された電力を充電すると共に、制御部９の制御に基づいて電力を本ＰＨＳ端末Ａの各部に供給する。
【００１９】
制御部９は、ＣＰＵ（Central Processing Unit）、ＲＯＭ（Read Only Memory）及びＲＡＭ（Random Access Memory）から構成される内部メモリ並びに上記基地局通信部１、操作部２、表示部３、エンコーダ５ａ、デコーダ５ｂ、振動部６、ＬＥＤ７及びバッテリ８と信号の入出力をそれぞれ行うインタフェース回路等から構成されており、上記ＲＯＭに記憶された制御プログラム、基地局通信部１が受信する各種信号及び操作部２が受け付ける操作指示及びデコーダ５ｂから入力される各種信号に基づいてＰＨＳ端末Ａの全体動作を制御する。
なお、上記ＲＯＭに記憶されている制御プログラムは、赤外線通信制御プログラムを備えており、制御部９はこの赤外線通信制御プログラムに基づいて赤外線通信機能を制御する。なお、この制御部９の制御処理の詳細については、以下にＰＨＳ端末Ａの動作として説明する。
【００２０】
次に、上記構成のＰＨＳ端末Ａの動作について、図２を参照して詳しく説明する。図２は、本実施形態に係るＰＨＳ端末Ａの動作を示すフローチャートである。
ＰＨＳ端末Ａは、赤外線通機能が正常に起動していることを、表示部３、振動部６及びＬＥＤ７によってユーザに報知するようにしたものである。ＰＨＳ端末Ａでは、表示部３、振動部６及びＬＥＤ７うちの何れか１つ以上によって報知することを、図３に示す報知方法選択メニュー画面を用いて予めユーザが選択することによって設定する。図３は、ＰＨＳ端末Ａの表示部３が表示する報知方法選択メニュー画面の一例を示す図である。
【００２１】
この報知方法選択メニュー画面では、図３に示すように「ＬＥＤ」、「バイブレータ」及び「ディスプレイ」のメニューリストを表示し、「ＬＥＤ」、「バイブレータ」及び「ディスプレイ」から報知方法をユーザに選択させる。制御部９は、報知方法選択メニュー画面において「ＬＥＤ」が選択されるとＬＥＤ７の発光を報知手段とし、「バイブレータ」が選択されると振動部６の振動動作を報知手段とする。また、「ディスプレイ」が選択されると表示部３が表示する画面によって報知する。なお、図２を参照して、「ＬＥＤ」及び「バイブレータ」が選択された場合の動作を説明する。
【００２２】
制御部９は、図４に示す赤外線通信選択メニュー画面における「赤外線受信」の選択指示を操作部２が受け付けたか否か判定する（ステップＳ１）。図４は、ＰＨＳ端末Ａの表示部３が表示する赤外線通信選択メニュー画面の一例を示す図である。この赤外線通信選択メニュー画面は、図４に示すように「赤外線送信」及び「赤外線受信」のメニューリストを表示し、赤外線送信または赤外線受信の開始をユーザに選択させる画面である。
【００２３】
制御部９は、ステップＳ１において『ＹＥＳ』と判定した場合には、すなわち「赤外線受信」が選択された場合には、バッテリ８にデコーダ５ｂ及び赤外線受信部４ｂに対して電力を供給させると共にデコーダ５ｂが有する発振回路にサンプリングクロックを発生させ（ステップＳ２）、バッテリ８からの電力の供給によってデコーダ５ｂ及び赤外線受信部４ｂが正常に起動したことを示す起動通知信号がデコーダ５ｂから入力されたか否か判定する（ステップＳ３）。
【００２４】
制御部９は、ステップＳ３において『ＹＥＳ』と判定した場合には、デコーダ５ｂから起動通知信号が入力された場合には、ＬＥＤ７に赤色光を発光させると共に振動部６に振動パターン１の振動を実行させ（ステップＳ４）、ステップＳ３において『ＮＯ』と判定した場合には、すなわちデコーダ５ｂから起動通知信号が入力されていない場合には、ＬＥＤ７による発光及び振動部６による振動を行わない（ステップＳ５）。
【００２５】
制御部９は、ステップＳ４の後に正常に起動した赤外線受信部４ｂが所定時間内に通信相手から探索信号を受信したか否か判定し（ステップＳ６）、ステップＳ６において『ＹＥＳ』と判定した場合には、すなわち赤外線受信部４ｂが探索信号を受信した場合には、ＬＥＤ７に橙色光を発光させると共に振動部６に振動パターン２によって振動させ（ステップＳ７）、ステップＳ６において『ＮＯ』と判定する場合には、すなわち所定時間内に通信相手から探索信号を赤外線受信部４ｂが受信していない場合には、ステップＳ５に移行してＬＥＤ７による発光及び振動部６による振動を行わせない。上記探索信号は、受信側であるＰＨＳ端末Ａが通信相手を見つける為に、送信側が赤外線通信の開始時に出力する信号である。赤外線通信において、送信側は、この探索信号を送信した後に、データファイルを送信する。
【００２６】
制御部９は、探索信号を受信してから所定時間内に赤外線受信部４ｂがデータファイルの受信を開始したか否か判定し（ステップＳ８）、ステップＳ８において『ＹＥＳ』と判定した場合には、すなわち赤外線受信部４ｂがデータファイルの受信を開始した場合には、ＬＥＤ７に緑色光を発光させると共に振動部６に振動パターン３によって振動させ（ステップＳ９）、ステップＳ８において『ＮＯ』と判定した場合には、探索信号を受信してから所定時間内に赤外線受信部４ｂがデータファイルの受信を開始していない場合には、ステップＳ５に移行してＬＥＤ７による発光及び振動部６による振動を行わない。
【００２７】
制御部９は、ステップＳ９の後に赤外線受信部４ｂが通信相手から切断信号を受信したか否か判定し（ステップＳ１０）、ステップＳ１０において『ＮＯ』と判定した場合には、すなわち赤外線受信部４ｂが切断信号を受信していない場合には、切断信号を受信するまで待機し、ステップＳ１０において『ＹＥＳ』と判定した場合には、すなわち赤外線受信部４ｂが切断信号を受信した場合には、ステップＳ５に移行してＬＥＤ７による発光及び振動部６による振動を行わない。
制御部９は、ステップＳ１において『ＮＯ』と判定した場合には、すなわち「赤外線送信」が選択された場合には、バッテリ８にエンコーダ５ａ及び赤外線送信部４ａに対して電力を供給させ、赤外線送信機能を起動させる（ステップＳ１１）。
【００２８】
以上説明したように、ＰＨＳ端末Ａにおいて、制御部９は、デコーダ５ｂ及び赤外線受信部４ｂが正常に起動したことを示す起動通知信号に基づいて、表示部３、振動部６及びＬＥＤ７に報知を行わせる為、ユーザは赤外線デバイスにおける受信機能が正常に起動してることを確実に知ることができ、安心を得ることができる。さらに、ＰＨＳ端末Ａでは、通信相手から送信させる探索信号の受信の開始及びデータファイルの受信の開始を報知することによって、ユーザは、赤外線受信機能が正常に動作していることを把握することが出来るとともに赤外線受信がどの段階まで進行しているかを認識することが出来る。
【００２９】
以上、本発明の一実施形態について説明したが、本発明は上記実施形態に限定されることなく、例えば以下のような変形が考えられる。
（１）上記実施形態では、ＰＨＳ端末Ａにおいて、通信相手から切断信号を受信するとＬＥＤ７による発光及び振動部６による振動を行わないが、本発明はこれに限定されない。
例えば、ＰＨＳ端末Ａにおいて、通信相手から切断信号を受信すると、通信の切断をＬＥＤ７による発光、振動部６による振動及び表示部３による画面の表示によって報知するようにしてもよい。
【００３０】
（２）上記実施形態では、ＰＨＳ端末Ａにおいて、振動部６及びＬＥＤ７における動作の段階的な変化によってデコーダ５ｂ及び赤外線受信部４ｂの起動等を報知したが、本発明はこれに限定されない。
例えば、表示部３では、コントラストや明るさを段階的に変化させたり、専用の文字、図形、マークを段階的に報知変化させることによって、デコーダ５ｂ及び赤外線受信部４ｂの起動等を報知するようにしてもよい。
【００３１】
（３）上記実施形態では、ＰＨＳ端末Ａにおいて、表示部３、振動部６及びＬＥＤ７によって報知するようにしたが、本発明はこれに限定されない。
例えば、制御部９が、スピーカを有する発音部に音声を出力させることによって報知するようにしてもよい。
【００３２】
（４）上記実施形態では、ＰＨＳ端末Ａにおいて、赤外線受信機能における電力の供給によるデコーダ５ｂ及び赤外線受信部４ｂの起動、探索信号の受信の開始及びデータファイルの受信の開始を報知させたが、本発明はこれに限定されない。
例えば、赤外線送信機能におけるエンコーダ５ａ及び赤外線送信部４ａの起動、探索信号の送信の開始、データファイうの送信の開始及び切断信号の送信を報知するようにしてもよい。
【図面の簡単な説明】
【００３３】
【図１】本実施形態に係るＰＨＳ端末Ａの機能構成を示す機能ブロック図である。
【図２】本実施形態に係るＰＨＳ端末Ａの動作を示すフローチャートである。
【図３】本実施形態に係るＰＨＳ端末Ａの表示部３が表示する報知方法選択メニュー画面の一例を示す図である。
【図４】本実施形態に係るＰＨＳ端末Ａの表示部３が表示する赤外線通信選択メニュー画面の一例を示す図である。
【符号の説明】
【００３４】
Ａ，Ｂ…ＰＨＳ端末、１…基地局通信部、２…操作部、３…表示部、４…赤外線モジュール、４ａ…赤外線送信部、４ｂ…赤外線受信部、５…モデム、５ａ…エンコーダ、５ｂ…デコーダ、６…振動部、７…ＬＥＤ、８…バッテリ、９…制御部
【図１】
2009206969.tif 000003
【図２】
2009206969.tif 000004
【図３】
2009206969.tif 000005
【図４】
2009206969.tif 000006